(57)【要約】【課題】低コストでスイッチが配置されている空間を防水区画とし、スイッチを押下する際の操作感が良好な電子機器を提供すること。【解決手段】本発明の温度調節器１は、ケースフロント３と、スイッチ５１と、カップ部材５２と、押下部材５０３とを備えている。ケースフロント３は、表面に貫通孔３７を有する。スイッチ５１は、ケースフロント３の内側に設けられた基板２１に配置されている。カップ部材５２は、貫通孔３７に、内側底面５６ｅがケースフロント３の外側を向いて配置されたカップ部５６を有している。押下部材５０３は、スイッチ５１を押下するためにカップ部５４内に配置されている。カップ部材５２は、カップ部５６と貫通孔３７の内周面３７ａとの間から異物が侵入しないようにケース部材３と溶着されている。スイッチを押下するための押下部材５０３の移動により、カップ部５４の先端部５６ｃがスイッチ５１を押圧する。【選択図】図９
2015153667.tif 000002
【特許請求の範囲】
【請求項１】
表面に貫通孔を有するケース部材と、
前記ケース部材の内側に設けられた基板に配置されたスイッチと、
前記貫通孔に、内側底面が前記ケース部材の外側を向いて配置されたカップ部を有するカップ部材と、
前記スイッチを押下するために前記カップ部内に配置された押下部材と、を備え、
前記カップ部材は、前記カップ部と前記貫通孔の内周面との間から異物が侵入しないように前記ケース部材と溶着されており、前記スイッチを押下するための前記押下部材の移動により、前記カップ部の底部が前記スイッチを押圧する、
電子機器。
【請求項２】
前記カップ部材が全周にわたって前記ケース部材と溶着されている、
請求項１に記載の電子機器。
【請求項３】
前記カップ部は、前記貫通孔の内周面と全周に渡って溶着されている、
請求項１に記載の電子機器。
【請求項４】
前記カップ部材は、
前記カップ部の開口の全周に渡って接続された鍔部を有し、
前記鍔部は、前記ケース部材の外側表面と溶着されている、
請求項１に記載の電子機器。
【請求項５】
前記ケース部材と前記カップ部材は、インサート成形によって一体的に形成されている、
請求項１に記載の電子機器。
【請求項６】
前記ケース部材の外側に配置され、前記ケース部材の貫通孔と対向するように貫通して形成された外側貫通孔を有する表面部材と、
前記押下部材の外側の端に連結して設けられ、前記外側貫通孔から前記表面部材の外側に突出し、前記スイッチの押下時に操作される操作部と、を更に備え、
前記操作部は、前記表面部材の内側表面であって前記外側貫通孔の周囲に全周にわたって当接可能な当接部を有し、
前記スイッチが押下されている状態では、前記当接部は前記表面部材から内側に離間しており、
前記当接部が前記表面部材と当接している前記操作部の初期状態では、前記スイッチは非押下状態である、
請求項１に記載の電子機器。
【請求項７】
前記基板には、電子部品が更に配置されており、
前記カップ部材及び前記ケース部材は、前記基板の前記スイッチ及び前記電子部品が配置されている側を覆うように形成されている、
請求項１に記載の電子機器。
【請求項８】
前記カップ部材は、連接した複数の前記カップ部を有し、
前記ケース部材には、前記貫通孔が複数個並んで形成され、
前記基板には、前記スイッチが複数個並んで配置され、
複数の前記カップ部は、それぞれが前記スイッチに対応するように配置され、
連接した複数の前記カップ部及び前記ケース状部材は、前記基板の前記複数のスイッチが配置されている側を覆うように形成されている、
請求項１に記載の電子機器。
【請求項９】
前記スイッチを押下している状態から前記初期状態に前記操作部を復帰する復帰力を生成する復帰力生成部を更に備えた
請求項６に記載の電子機器。
【請求項１０】
前記カップ部材は、
前記カップ部の開口の縁から形成された鍔部を有し、
前記鍔部は、前記ケース部材の外側表面と溶着されており、
前記復帰力生成部は、
弾性を有し、前記鍔部から前記表面部材に向かって突出して形成されており、
その先端が前記当接部の内側と接触し、前記当接部を前記表面部材の内側表面に向かって付勢する、
請求項９に記載の電子機器。
【請求項１１】
表面に貫通孔を有するケース部材と、前記貫通孔に、内側底面がケース部材の外側を向いて配置されたカップ部を有するカップ部材とをインサート成形によって一体的に形成する成形工程と、
前記ケース部材の内側にスイッチが配置された基板を、前記カップ部に挿入される押下部材の前記スイッチを押下するための移動によって前記カップ部の底部が前記スイッチを押圧するように、前記ケース部材及び前記カップ部材に対して配置する配置工程と、
を備えた、電子機器の製造方法。                                                                               
【発明の詳細な説明】
【技術分野】
【０００１】
本発明は、スイッチを備えた電子機器及びその製造方法に関する。
【背景技術】
【０００２】
工場の生産ラインで用いられる温度調節機器等の電子機器では、スイッチが配置されている空間に水等の液体が侵入してスイッチが故障することを防止するため、スイッチの配置されている空間が防水区画に形成されている。
このような構成としては、弾性体がケースの貫通孔に挿入されており、その弾性体が内側に凹んでいる結合孔を有している防水構造が開示されている（例えば、特許文献１（図１）参照）。この防水構造では、この弾性体の内側にプッシュスイッチが配置されており、結合孔には、プッシュキーによって加えられる圧力をプッシュスイッチに伝えるロッドが嵌め込まれている。ロッドの結合孔への挿入によって弾性体の圧縮反力が生じ、弾性体がケースの貫通孔とロッドに圧接することにより、プッシュスイッチが配置されている空間が防水区画として形成される。
【０００３】
一方、ロッドはスイッチ操作時に弾性体に対して摺動して動作する必要があるが、弾性体の反力がロッドにもかかるため、スムーズに揺動するためにロッドと結合孔の間には潤滑オイルが塗布されている。
また、他の構成として、ボタンが配置される空間を囲むように水密に仕切る防水部材が設けられ、防水部材が、ボタンと対向して配置された防水フィルムと、防水フィルムと筐体との間を接着する枠状の弾性体とを有する構成が開示されている（例えば、特許文献２（図６）参照。）。この特許文献２では、ボタンから筐体の内側面に沿って伸びた部分の先端が筐体の内側面に固着されることによってヒンジ構造を構成し、ボタンは筐体に形成された貫通孔内に保持されている。そして、使用者によってボタンが押されると、ボタンは、この固着部分を支点として筐体の内側に回動する。
【先行技術文献】
【特許文献】
【０００４】
【特許文献１】特開２０１３−６２２４３号公報
【特許文献２】特開２００８−１０８５５８号公報
【発明の概要】
【発明が解決しようとする課題】
【０００５】
しかしながら、上記特許文献１に示す防水構造では、長期間に渡って使用する場合や使用環境によっては潤滑オイルが枯渇してロッドがスムーズに摺動しなくなり、スイッチを押下する際の操作感が悪くなる場合があった。更に、弾性体の圧縮によって防水区画を形成しているため、ケース、弾性体、及びロッド等について繊細な寸法設計、応力設計が必要となり、量産後の寸法管理も必要となっていた。このため、コストが高くなっていた。
【０００６】
また、特許文献２に示す防水構造では、防水部材が防水フィルムと枠状の弾性体の２つの部材によって構成されるため、部品点数の増加により部材費が高くなり、又、２つの部材を接着するため組立工数が多くなるため、コストが高くなっていた。
又、ボタンを貫通孔内に保持するとともにボタンの回動支点となる固着部分を形成する必要があり、この固着部分の形成のためにスペースが余分に必要となる。更に、良好なボタンの操作感を得ようとすると、筐体の内周面に沿って伸びた部分の長さを長く確保する必要があり、よりスペースが必要となる。
【０００７】
本発明の課題は、省スペース且つ低コストでスイッチが配置されている空間を防水区画とし、スイッチを押下する際の操作感が良好な電子機器及びその製造方法を提供することにある。
【課題を解決するための手段】
【０００８】
第１の発明に係る電子機器は、ケース部材と、スイッチと、カップ部材と、押下部材とを備えている。ケース部材は、表面に貫通孔を有する。スイッチは、ケース部材の内側に設けられた基板に配置されている。カップ部材は、貫通孔に、内側底面がケース部材の外側を向いて配置されたカップ部を有する。押下部材は、スイッチを押下するためにカップ部内に配置されている。カップ部材は、カップ部と貫通孔の内周面との間から異物が侵入しないようにケース部材と溶着されており、スイッチを押下するための押下部材の移動により、カップ部の底部がスイッチを押圧する。
【０００９】
このような構成により、スイッチが配置されている空間が防水区画として形成され、その空間への異物の侵入を防ぐことが出来る。ここで、異物とは、水等の液体、及び粉塵等を含む。また、溶着によって防水区画を形成しているため、押下部材がカップ部によって押圧されない、若しくはたとえ押圧されたとしても押下部材が摺動し難い程には押圧されない。そのため、カップ部と押下部材の間に潤滑オイルを塗布しなくても押下部材をカップ部に対してスムーズに摺動することが出来る。従って、スイッチが配置されている空間を防水区画として形成してもスイッチを押下する際の操作感を良好にすることが出来る。
【００１０】
更に、圧縮ではなく、溶着によって防水区画を形成しているため、繊細な寸法設計、応力設計が必要なく、量産後の寸法管理の必要も低減され、コストを下げることが出来る。
また、ケース部材の貫通孔を塞ぐように配置されるカップ部が、１つの部材によって実現できるため、部品点数が少なくて済、コストを低くすることが出来る。
また、押下部材は、カップ部内に挿入されているため、カップ部によって保持されることになり、他にケースなどと固着する部分を形成する必要がない。
そのため、省スペースで、防水区画を実現することが出来る。
【００１１】
第２の発明にかかる電子機器は、第１の発明に係る電子機器であって、カップ部材が全周にわたってケース部材と溶着されている。
このように、カップ部材が全周にわたってケース部材と溶着されることによって、カップ部と貫通孔の内周面のとの間から異物が侵入することを防止することが出来る。
【００１２】
第３の発明にかかる電子機器は、第１の発明に係る電子機器であって、カップ部は、貫通孔の内周面と全周に渡って溶着されている。
これにより、貫通孔の内周面とカップ部の間で水等の液体の侵入を防ぐことができ、スイッチが配置されている空間を防水区画とすることが出来る。
また、貫通孔に対して垂直な平面上において出来るだけ小さいスペースで、スイッチが配置されている空間を防水区画とすることが出来る。
【００１３】
第４の発明にかかる電子機器は、第１の発明に係る電子機器であって、カップ部材は、カップ部の開口の全周に渡って接続された鍔部を有する。鍔部は、ケース部材の外側表面と溶着されている。
これにより、カップ部材の鍔部とケース部材の間で水等の液体の侵入を防ぐことができ、スイッチが配置されている空間を防水区画とすることが出来る。
【００１４】
また、鍔部で溶着することによって、押下方向の厚みが薄い電子機器において、防水を維持しながら良好な操作感を得ることが出来る。
また、鍔部がケース部材の外側表面に設けられているため、スイッチを押下する際に、鍔部は圧縮されることになる。すなわち、鍔部が内側に配置された場合にはスイッチ押下の際に溶着を引き剥がす方向に力が作用することになるが、上記発明では圧縮される側に鍔部が設けられているため、信頼性のある溶着を行うことが出来る。
【００１５】
第５の発明に係る電子機器は、第１の発明に係る電子機器であって、ケース部材とカップ部材は、インサート成形によって一体的に形成されている。
これにより、ケース部材とカップ部を溶着した構成を容易に実現できる。
第６の発明に係る電子機器は、第１の発明に係る電子機器であって、表面部材と、操作部と、を更に備えている。表面部材は、ケース部材の外側に配置され、ケース部材の貫通孔と対向するように貫通して形成された外側貫通孔を有する。操作部は、押下部材の外側の端に連結して設けられ、外側貫通孔から表面部材の外側に突出し、スイッチの押下時に操作される。操作部は、表面部材の内側表面であって外側貫通孔の周囲に全周にわたって当接可能な当接部を有している。スイッチが押下されている状態では、当接部は表面部材から内側に離間しており、当接部が表面部材と当接している操作部の初期状態では、スイッチは非押下状態である。
【００１６】
このように、操作部の初期状態で当接部が表面部材と当接しているため、表面部材と操作部の間においても液体等の侵入を防止することが出来る。
このため、使用者が操作部を押していない状態では表面部材と操作部の間から水等の液体が侵入することを防ぐことが出来る。
これにより、表面部材と操作部の間、及びケース部材とカップ部の間の２重の防水構造を形成することが出来、スイッチが配置されている空間への液体の侵入をより確実に防ぐことが可能となる。
【００１７】
第７の発明に係る電子機器は、第１の発明に係る電子機器であって、基板には、電子部品が更に配置されており、カップ部材及びケース部材は、基板のスイッチ及び電子部品が配置されている側を覆うように形成されている。
このように、スイッチだけでなく、基板に配置されている他の電子部品に対しても水等の液体が接触することを防ぐことが出来る。
【００１８】
第８の発明に係る電子機器は、第１の発明に係る電子機器であって、カップ部材は、連接した複数のカップ部を有している。ケース部材には、貫通孔が複数個並んで形成されている。基板には、スイッチが複数個並んで配置されている。複数のカップ部は、それぞれがスイッチに対応するように配置されている。連接した複数のカップ部及びケース状部材は、基板の複数のスイッチが配置されている側を覆うように形成されている。
【００１９】
このように、複数個のスイッチが配置されている側に連接した複数のカップ部を配置することによって、複数個のスイッチに対しても防水機能を発揮できる。
又、カップ部が連接していることにより、組立易く、複数のスイッチに対して防水機能を発揮できる複数のカップ部を一体的に成形することが出来、コストを易くすることが出来る。
【００２０】
第９の発明に係る電子機器は、第６の発明に係る電子機器であって、スイッチを押下している状態から初期状態に操作部を復帰する復帰力を生成する復帰力生成部を更に備えている。
このように復帰力生成部を備えていることにより、使用者が操作部から指先を離した際に、操作部をより確実に初期位置に戻すことが出来る。すなわち、その当接部が、より確実に表面部材と当接する。これにより、表面部材と操作部の隙間からの液体の侵入を出来るだけ防ぐことが出来る。
【００２１】
第１０の発明に係る電子機器は、第９の発明に係る電子機器であって、カップ部材は、カップ部の開口の縁から形成された鍔部を有し、鍔部は、ケース部材の外側表面と溶着されている。復帰力生成部は、弾性を有し、鍔部から表面部材に向かって突出して形成されており、その先端が当接部の内側と接触し、当接部を表面部材の内側表面に向かって付勢する。
このように、復帰力生成部を鍔部から表面部材に向かって突出するように形成することにより、復帰力生成部を鍔部と一体成形することが出来るため、部品点数を増やすことなく、使用者が指を離すと操作部を初期位置に戻す構成が実現できる。
【００２２】
第１１の発明に係る電子機器は、成形工程と、配置工程とを備える。成形工程は、表面に貫通孔を有するケース部材と、貫通孔に、内側底面がケース部材の外側を向いて配置されたカップ部を有するカップ部材とをインサート成形によって一体的に形成する。配置工程は、ケース部材の内側にスイッチが配置された基板を、カップ部に挿入される押下部材のスイッチを押下するための移動によってカップ部の底部がスイッチを押圧するように、ケース部材及びカップ部材に対して配置する。
【００２３】
省スペース且つ低コストでスイッチが配置されている空間を防水区画とし、スイッチを押下する際の操作感が良好な電子機器を製造することが出来る。
【発明の効果】
【００２４】
本発明によれば、低コストでスイッチが配置されている空間を防水区画とし、スイッチを押下する際の操作感が良好な電子機器及びその製造方法を提供することが可能である。
【図面の簡単な説明】
【００２５】
【図１】本発明に係る実施形態１における温度調節器を示す全体斜視図。
【図２】図１に示す温度調節器の使用状態を示す側面図。
【図３】図１に示す温度調節器の前面部分であるシートフロント、ケースフロント、表示部、及びスイッチ部の分解斜視図。
【図４】（ａ）図３に示すシートフロント、ケースフロント、表示部、及びスイッチ部を組み合わせた状態を示す正面図、（ｂ）図４（ａ）のＡＡ間の矢示断面図、（ｃ）図４（ａ）のＢＢ間の矢示断面図。
【図５】（ａ）図３に示すケースフロントの正面図、（ｂ）図５（ａ）のＣＣ間の矢示断面図、（ｃ）図５（ａ）のＤＤ間の矢示断面図。
【図６】図３に示すスイッチの断面模式図。
【図７】（ａ）図３に示すカップ部材の正面側から視た斜視図、（ｂ）図３に示すカップ部材の背面側から視た斜視図。
【図８】（ａ）図７に示すカップ部材の平面図、（ｂ）図７に示すカップ部材の正面図、（ｃ）図８（ｂ）のＥＥ間の矢示断面図、（ｄ）図８（ｂ）のＦＦ間の矢示断面図、（ｅ）図８（ｃ）の部分拡大図。
【図９】図４（ｂ）の部分拡大図。
【図１０】図１に示す温度調節器のケースフロントとカップ部材の溶着部分を説明するための断面図。
【図１１】（ａ）図１に示す温度調節器のケースフロントとカップ部材の接着部分を説明するための正面側から視たカップ部材の部分拡大図、（ｂ）図１に示す温度調節器のケースフロントとカップ部材の溶着部分を説明するための背面側から視たカップ部材の部分拡大図。
【図１２】（ａ）図３に示す操作キーの正面側から視た斜視図、（ｂ）図３に示す操作キーの背面側から視た斜視図。
【図１３】図９に示す状態から操作キーを押し込んだ状態を示す平断面図。
【図１４】図１３に示す状態の側断面図。
【図１５】本実施形態１の温度調節器の変形例を示すスイッチ近傍の断面図。
【図１６】本実施形態１の温度調節器の変形例を示すスイッチ近傍の断面図。
【図１７】本実施形態１の温度調節器の変形例を示すスイッチ近傍の断面図。
【図１８】本実施形態１の温度調節器の変形例を示すスイッチ近傍の断面図。
【図１９】本実施形態１の温度調節器の変形例を示すスイッチ近傍の断面図。
【図２０】本実施形態１の温度調節器の変形例を示すスイッチ近傍の断面図。
【図２１】本実施形態１の温度調節器の変形例を示すスイッチ近傍の断面図。
【図２２】（ａ）本実施形態１の温度調節器の変形例を示すカップ部材の正面側から視た斜視図、（ｂ）本実施形態１の温度調節器の変形例を示すカップ部材の背面側から視た斜視図。
【図２３】（ａ）本発明に係る実施形態２における温度調節器のフロントケースの一部とカップ部材を示す斜視断面図、（ｂ）本発明に係る実施形態２における温度調節器のフロントケースの一部とカップ部材を示す平断面図、（ｃ）本発明に係る実施形態２における温度調節器のフロントケースの一部とカップ部材を示す正面図。
【発明を実施するための形態】
【００２６】
以下、本発明の一実施形態について、適宜、図面を参照しながら説明する。以下の説明では、説明が不必要に冗長になるのを避け、当業者の理解を容易にするために、例えば、既知の事項の詳細な説明や実質的に同一の構成に対する重複説明については省略する場合がある。
尚、出願人は、当業者が本発明の内容を十分に理解するために以下の説明及び図面を提供するのであって、これらの開示内容によって特許請求の範囲に記載の主題を限定することを意図するものではない。
【００２７】
（実施形態１）
以下に、本発明に係る実施形態１の温度調節器について図１〜図１４を参照しながら説明する。
＜１．構成＞
（１−１．温度調節器１の概要構成）
図１は、本実施形態の温度調節器１の外観斜視図である。本実施形態１の温度調節器１には、図示していないが、温度を検出する温度センサ、及び温度を調節するためのヒーターやクーラーなどが接続される。また、本実施形態の温度調節器１は、その外形が略直方体形状であり、前面１０、背面１１、上面１２、底面１３、右側面１４、及び左側面１５が設けられている。この温度調節器１の外観としては、前面１０から背面１１までの間隔が、上面１２と底面１３の間隔及び右側面１４と左側面１５の間隔よりも長くなるように形成されている。尚、以下の説明において、上下方向とは、上面１２及び底面１３に垂直な方向のことであり、左右方向とは、左側面１５及び右側面１４に垂直な方向のことである。また、前側又は正面側とは前面１０側のことであり、後側とは背面１１側のことである。
【００２８】
図１に示すように、前面１０の下部分には、スイッチ部５の複数の操作キー５３が下辺１０ａ沿って一列に並んで配置されている。
図２は、本実施形態１の温度調節器１の使用状態を示す側面図である。本実施形態１の温度調節器１は、制御盤１００に組み込まれて使用される。温度調節器１は、制御盤１００に組み込まれた状態において、その前面１０が制御盤１００の外側に露出している。この前面１０には、温度センサで検出された温度、設定温度等が表示される。この表示領域が、図１において前面１０に１０ｓとして示されている。
【００２９】
又、温度調節器１の背面１１、上面１２、底面１３、右側面１４及び左側面１５は制御盤１００の内側に配置されている。このように、前面１０を除く部分は制御盤１００内に配置されるため、本実施形態１の温度調節器１では、前面１０側に防水機能が施されている。
図３は、本実施形態１の温度調節器１の前面１０側の分解斜視図である。図４（ａ）は、表示部２、ケースフロント３、シートフロント４、及びスイッチ部５を組み合わせた状態を示す正面図である。図４（ｂ）は、図４（ａ）のＡＡ間の矢示断面図である。図４（ｃ）は、図４（ａ）のＢＢ間の矢示断面図である。
【００３０】
図３及び図４に示すように、温度調節器１の前面１０側には、表示部２、ケースフロント３、シートフロント４、及びスイッチ部５が設けられている。これら表示部２、ケースフロント３、シートフロント４、及びスイッチ部５は、背面１１、上面１２、底面１３、右側面１４、及び左側面１５によって構成されるケース本体１６（図１参照）に取り付けられる。
【００３１】
（１−２．表示部２）
表示部２は、図３に示すように基板２１と、表示用電子部品２２とを有している。基板２１は、略四角形状であって前面１０と概ね同じ大きさに形成されており、その表面が前面１０側を向くように配置されている。表示用電子部品２２は、基板２１の前面１０側であって上端寄りに配置されている。基板２１における表示用電子部品２２の下側には後述するスイッチ５１及び他の電子部品２３が配置されている。
【００３２】
（１−３．ケースフロント３）
図５（ａ）は、ケースフロント３の正面図である。図５（ｂ）は図５（ａ）のＣＣ間矢示断面図であり、図５（ｃ）は図５（ａ）のＤＤ間矢示断面図である。
図３及び図５に示すように、ケースフロント３は、前面部３１と、左側支持部３２ａと、右側支持部３２ｂと、上側支持部３２ｃと、下側支持部３２ｄを備えている。前面部３１は、略矩形状であり、略矩形状のそれぞれの辺が上端３１Ｕ、下端３１Ｄ、左端３１Ｌ、及び右端３１Ｒを構成している。前面部３１は、表示部２を前面１０側から覆うように配置され、表示用電子部品２２と対向する位置に形成された略矩形状の開口部３４を有している（図３及び図５（ａ）参照）。尚、開口部３４の略矩形状の各辺は、それぞれの辺に対応する前面部３１の各辺と平行である。
【００３３】
左側支持部３２ａは、前面部３１の左端３１Ｌから背面１１に向かって形成された複数の突起状の部材から構成されており、図示していないが左側面１５と係合する。右側支持部３２ｂは、前面部３１の右端３１Ｒから背面１１に向かって形成された複数の突起状の部材から構成されており、図示していないが右側面１４と係合する。同様に、上側支持部３２ｃは、前面部３１の上端３１Ｕから背面１１に向かって形成された複数の突起状の部材から構成されており、上面１２と係合する。下側支持部３２ｄは、前面部３１の下端３１Ｄから背面１１に向かって形成された複数の突起状の部材から構成されており、底面１３と係合する。
これら左側支持部３２ａ、右側支持部３２ｂ、上側支持部３２ｃ、及び下側支持部３２ｄによって、ケースフロント３は、背面１１、上面１２、底面１３、右側面１４、及び左側面１５によって形成されるケース本体１６（図１参照）に取り付けられる。
【００３４】
図５（ａ）〜図５（ｃ）に示すように、開口部３４の下側の前面部３１には、後述するカップ部材５２が配置される配置部３５が形成されている。図３では、配置部３５にカップ部材５２が配置された状態が示されている。
配置部３５は、前面部３１の表面に溝状に形成された溝状部３８と、溝状部３８の底面３８ａに溝状に形成された溝状部３６と、その溝状部３６の底面３６ａから形成された５つの貫通孔３７とを有している。溝状部３８は、開口部３４の下側であって前面部３１の下端３１Ｄに沿って左端３１Ｌから右端３１Ｒに向かって形成されている。溝状部３６は、図５（ａ）に示すように正面視において溝状部３８の内側に配置されるように、溝状部３８の底面３８ａに形成されている。５つの貫通孔３７は、溝状部３６の底面３６ａに所定の間隔をあけて左端３１Ｌから右端３１Ｒ方向に一列に並んで形成されている。これら５つの貫通孔３７は、上述した５つのスイッチ５１のそれぞれと対向する位置に形成されている。尚、ここでいう底面３６ａ、３８ａは、溝形状の底面のことであり、前面１０と略平行に形成されている。
【００３５】
また、図５（ｃ）に示すように、上下方向の位置において溝状部３６の上端３６Ｕと下端３６Ｄは、貫通孔３７の上端３７Ｕ及び下端３７Ｄと一致している。このため、図５（ａ）に示すように、溝状部３６の底面３６ａは、貫通孔３７の左右方向には存在するが、貫通孔の上下方向には存在しない。
【００３６】
（１−４．シートフロント４）
シートフロント４は、図３に示すように略矩形状の部材であり、各辺を形成する上端４Ｕ、下端４Ｄ、左端４Ｌ、及び右端４Ｒを有している。シートフロント４は、透明の部材によって形成されており、ケースフロント３の前側に接着によって固定される。尚、シートフロント４は、上端４Ｕ、下端４Ｄ、左端４Ｌ、及び右端４Ｒが、上端３１Ｕ、下端３１Ｄ、左端３１Ｌ、及び右端３１Ｒに対応するように前面部３１に取付けられる。
シートフロント４の上端４Ｕの中央部には、切り欠き部４ａが形成されており、下端４Ｄの中央部には、切り欠き部４ｂが形成されている。シートフロント４がケースフロント３に接着固定される際には、切り欠き部４ａに、ケースフロント３の前面部３１の上端３１Ｕの中央部に形成された凸部３１ａが嵌められ、切り欠き部４ｂに、前面部３１の下端３１Ｄの中央部に形成された凸部３１ｂが嵌められる。
【００３７】
また、シートフロント４は、後述する複数の操作キー５３をケースフロント３に支持する機能を有しており、シートフロント４には、この複数の操作キー５３が前面側に突出する複数の貫通孔４１が形成されている。この複数の貫通孔４１は、左端４Ｌから右端４Ｒに向かって一列に所定の間隔をあけて形成されている。
【００３８】
（１−５．スイッチ部５）
スイッチ部５は、複数のスイッチ５１、カップ部材５２、及び複数の操作キー５３を備えている。
（１−５−１．スイッチ５１）
スイッチ５１は、基板２１の前面１０側であって、表示用電子部品２２の下側に左右方向（左側面１５から右側面１４と略垂直方向）に一列に並んで５個配置されている。これらスイッチ５１は、前面１０側から押されると、スイッチがオン状態となる。
図６は、スイッチ５１近傍の模式図である。スイッチ５１は、図６に示すように、蓋部５１１と、蓋部５１１の裏面に配置された可動電極５１２と、基板２１側に配置された固定電極５１３とを有している。使用者による操作キー５３の押し込みによって後述する押下部材５０３が背面１１側へと押される（矢印Ｐ参照）と、蓋部５１１が背面１１側へと撓み可動電極５１２が固定電極５１３に接触するため、スイッチ５１はオン状態となる。尚、蓋部５１１を介した可動電極５１２への押圧か解除されると、蓋部５１１の復元力によって可動電極５１２は固定電極５１３から離間され、スイッチ５１はオフ状態となる。
【００３９】
（１−５−２．カップ部材５２）
（１−５−２−１．カップ部材５２の構成）
図７（ａ）は、前面１０側から視たカップ部材５２の斜視図である。図７（ｂ）は、背面１１側から視たカップ部材５２の斜視図である。図８（ａ）は、カップ部材５２の平面図であり、図８（ｂ）は、カップ部材５２の正面図である。図８（ｃ）は、図８（ｂ）のＥＥ間の矢示断面図であり、図８（ｄ）は、図８（ｂ）のＦＦ間の矢示断面図である。図８（ｅ）は、図８（ｃ）の部分拡大図である。又、図９は、図４（ｂ）の部分拡大図である。
【００４０】
カップ部材５２は、ゴム等を含む弾性材料によって形成されている。カップ部材５２は、ケース部材３の前面部３１に配置され、ケース部材３の前面部３１に形成されている５つの貫通孔３７のそれぞれから水が侵入することを防ぐために５つの防水区画形成部５４を有している。図７及び図８に示すように、カップ部材５２は、５つの連接された防水区画形成部５４によって形成されている。ここで、防水区画形成部５４は、水に限らず、液体及び粉塵等を含む異物の侵入を防止する。
【００４１】
また、それぞれの防水区画形成部５４は、ケース部材３の前面部３１に形成された貫通孔３７に配置されたカップ部５６と、カップ部５６の前端から形成された鍔部５５とを有している。
カップ部５６は、図９に示すように、前面１０側に開口５６ｄが向き、その内側底面５６ｅが外側を向くように貫通孔３７に挿入するように配置されている。鍔部５５は、カップ部５６の前端（開口５６ｄの縁５６ｆ（図８（ｅ）参照））から左右に向かって形成されている。この鍔部５５は、図９に示すように前面部３１の溝状部３６に配置されている。
【００４２】
防水区画形成部５４には、図７及び図８に示すように、その前面５４ｓに鍔部５５の形成方向である左右に沿って凹部５４ｃが設けられている。この凹部５４ｃの底面５４ｄからカップ部５６の内側まで挿入孔５７が形成されている。操作キー５３の押下部材５０３（後述する）が、挿入孔５７に挿入される。この挿入孔５７の入口が、開口５６ｄに対応する。
【００４３】
また、貫通孔３７の左右両側には凹部５４ｃの底面５４ｄから前面１０側（カップ部５６の突出方向とは反対側）に向かって突出した付勢突起５８が形成されている。これら付勢突起５８は、操作キー５３をシートフロント４へと付勢する。
以上のような構成のカップ部５６の鍔部５５の端同士で連接してカップ部材５２が形成されている。
【００４４】
（１−５−２−１．カップ部材５２とケースフロント３の間の溶着）
上述したケースフロント３とカップ部材５２は、インサート成形によって一体成形されている。すなわち、ケースフロント３とカップ部材５２は溶着によって接合されている。
図１０は、図９の断面図のうちケースフロント３とカップ部材５２のみを示す図である。防水区画形成部５４のカップ部５６は、図１０に示すように貫通孔３７の内周面３７ａと対向し、その内周面３７ａと全周に渡って溶着されている溶着部５６ａと、溶着部５６ａからケースフロント３の内側に向かって突出した突出部５６ｂを有している。図１１（ａ）は、カップ部材５２の１つの防水区画形成部５４を正面側から視た斜視図であり、図１１（ｂ）は、カップ部材５２の１つの防水区画形成部５４を背面側から視た斜視図である。溶着部５６ａ及び突出部５６ｂを分かりやすくするために、図１１（ａ）及び図１１（ｂ）には溶着部５６ａの領域を点線で示している。
【００４５】
このように、溶着部５６ａは防水区画形成部５４の全周にわたって設けられているため、ケースフロント３の外側から内側に水が浸入することを防ぐことが出来る。すなわち、ケースフロント３の内側（スイッチ５１が配置されている側）に防水区画を形成できる。この溶着部５６ａと貫通孔３７の内周の溶着部分が図１０においてＳ１として点線で示されている。
【００４６】
また、カップ部材５２の鍔部５５は、溝状部３６の底面３６ａに配置され、鍔部５５の背面５５ａと底面３６ａが互いに溶着されている。この鍔部５５と底面３６ａとの溶着部分が図１０においてＳ２として点線で示されている。尚、ケースフロント３の説明において述べたように、貫通孔３７の上下方向には溝状部３６の底面３６ａは存在していない。又、図１１（ａ）及び図１１（ｂ）に示すように、鍔部５５は、カップ部５６から左右方向にのみ形成されている。これらの構成により、ケースフロント３とカップ部材５２は、貫通孔３７の外側の外周縁は全周に渡っては接着されていない。
【００４７】
尚、このように上下方向に底面３６ａを存在しないようにケースフロント３を構成することによって、前面１０の大きさを出来るだけ小さくした上で、表示領域１０ｓ（図１参照）を大きく確保することが出来る。又、本実施形態では、インサート成形のため溝状部３６の内側面（上下左右の面）も鍔部５５と溶着されることになる。
（１−５−３．操作キー５３）
図１２（ａ）は、図１における図中手前側から視た操作キー５３の斜視図である。図１２（ｂ）は、背面１１側から視た操作キー５３の斜視図である。
【００４８】
操作キー５３は、操作部５０１と、当接部５０２と、押下部材５０３とを有している。
操作部５０１は、図１２（ａ）及び図１２（ｂ）に示すように、略直方体形状であり、シートフロント４から前側に突出して配置されており、スイッチ５１をオン状態にするために使用者によって背面１１に向かって押される。
当接部５０２は、操作部５０１の背面１１側の端であって操作部５０１の全周に渡って形成されている。この当接部５０２は、図９に示すようにシートフロント４とカップ部材５２の間に配置されており、その内側面５０２ａにカップ部材５２の付勢突起５８が当接し、シートフロント４側に付勢されている。この付勢突起５８による付勢力により、当接部５０２はシートフロント４の貫通孔４１の内側周縁部４２に全周に渡って当接する。
【００４９】
押下部材５０３は、操作部５０１の背面１１側から背面１１に向かって突出して形成された棒状の部材であり、カップ部材５２の挿入孔５７に挿入されている。すなわち、図１２（ｂ）に示すように、押下部材５０３の外側の端５０３ａに操作部５０１が配置されている。
【００５０】
＜２．動作＞
スイッチ５１をオン状態にする際、操作キー５３の操作部５０１が、背面１１方向に向けて押される。
図１３は、スイッチ５１がオン状態の防水区画形成部５４近傍の正断面図であり、図４に示すＡＡ間の矢示断面図である。図１４は、スイッチ５１がオン状態の防水区画形成部５４近傍の側断面図であり、図４に示すＢＢ間の矢示断面図である。
図９、図１３、及び図１４に示すように、使用者が操作キー５３を押す操作によって、押下部材５０３も背面１１方向に移動し、カップ部材５２のカップ部５６が内側に伸ばされる。そして、突出部５６ｂの先端部５６ｃを介して押下部材５０３によってスイッチ５１の蓋部５１１が押下される。この蓋部５１１の押下により蓋部５１１の裏面に設けられている可動電極５１２が固定電極５１３に接触し、スイッチ５１はオン状態となる。
【００５１】
尚、押下部材５０３の移動に伴ってカップ部５６が弾性変形することになるが、カップ部５６のうち溶着部５６ａは貫通孔３７の内周面３７ａと溶着されているため、主に突出部５６ｂが内側に弾性変形することになる。
また、操作キー５３を押し込んでいくと、図１４に示すように当接部５０２が溝状部３８の底面３８ａに当接し、それ以上操作キー５３の押し込みが停止される。これによって、操作キー５３を押し込みすぎてスイッチ５１を押し込みすぎることが防止される。
【００５２】
また、図９及び図１３に示すように、操作キー５３を押すことによって、当接部５０２によって付勢突起５８が圧縮される。凹部５４ｃの壁面５４ｅによって付勢突起５８の圧縮変形が妨げられないように、凹部５４ｃの底面５４ｄにおける付勢突起５８から壁面５４ｅまでに間隔ｄ１が設けられている（図１１参照）。すなわち、当接部５０２が底面３８ａに当接した状態において、付勢突起５８が壁面５４ｅに接触しないように距離ｄ１が設定されている。尚、この壁面５４ｅは、詳細には、付勢突起５８の挿入孔５７と反対側の壁面５４ｅといえる。
【００５３】
使用者が操作キー５３から指を離すと、付勢突起５８によって当接部５０２はシートフロント４側へと付勢される。この当接部５０２の付勢力と、スイッチ５１の蓋部５１１の復元力と、元の状態に戻ろうとする突出部５６ｂの弾性力によって、操作キー５３は押しこまれる前の状態、すなわち、操作キー５３の当接部５０２がシートフロント４の貫通孔４１の内側周縁部４２に当接した状態（初期状態）に復帰する。
【００５４】
＜３．主な特徴・効果＞
（３−１）
本実施形態の温度調節器（電子機器の一例）は、図９に示すようにケースフロント３（ケース部材の一例）と、スイッチ５１（スイッチの一例）と、カップ部材５２と、押下部材５０３とを備えている。ケースフロント３は、表面に貫通孔３７を有する。スイッチ５１は、ケースフロント３の内側に設けられた基板２１に配置されている。カップ部材５２は、貫通孔３７に、内側底面５６ｅがケースフロント３の外側を向いて配置されたカップ部５６を有している。押下部材５０３は、スイッチ５１を押下するためにカップ部５４内に配置されている。カップ部材５２は、カップ部５６と貫通孔３７の内周面３７ａとの間から異物が侵入しないようにケース部材３と溶着されている。特に、本実施の形態では、カップ部５６と貫通孔３７の内周面３７ａとが全周に渡って溶着されている。スイッチを押下するための押下部材５０３の移動により、カップ部５４の先端部５６ｃ（底部の一例）がスイッチ５１を押圧する。
【００５５】
このように、カップ部５６の全周とケースフロント３の貫通孔３７の内周面３７ａが全周にわたって溶着されることによってスイッチ５１が配置されている空間Ｑ（図９参照）が防水区画として形成される。
また、圧縮でなく、溶着によって防水区画を形成しているため、押下部材５０３がカップ部５６によって押圧されない、若しくはたとえ押圧されたとしても押下部材５０３が摺動し難い程には押圧されない。そのため、カップ部５６と押下部材５０３の間に潤滑オイルを塗布しなくても押下部材５０３をカップ部５６に対してスムーズに摺動することが出来る。従って、スイッチ５１が配置されている空間Ｑを防水区画として形成してもスイッチ電子部品を押下する際の操作感が良好とすることが出来る。
【００５６】
更に、圧縮ではなく、溶着によって防水区画を形成しているため、繊細な寸法設計、応力設計が必要なく、量産後の寸法管理の必要も低減され、コストを下げることが出来る。
また、ケースフロント３の貫通孔３７を塞ぐように配置されるカップ部材５２が、１つの部材によって実現できるため、部品点数が少なくて済、コストを低くすることが出来る。
【００５７】
（３−２）
本実施形態の温度調節器（電子機器の一例）の製造方法は、成形工程と、配置工程を備えている。成形工程では、図３及び図４に示すように、表面に貫通孔３７を有するケースフロント３（ケース部材の一例）と、貫通孔３７に、内側底面５６ｅがケースフロント３の外側を向いて配置されたカップ部５６を有するカップ部材５２とをインサート成形によって一体的に形成される。配置工程では、図９及び図１３に示すようにケースフロント３の内側にスイッチ５１が配置された基板２１が、カップ部５６に挿入される押下部材５０３のスイッチ５１を押下するための移動によってカップ部５６の先端部５６ｃ（底部の一例）がスイッチ５１を押圧するように、ケースフロント３及びカップ部材５２に対して配置される。
【００５８】
＜４．他の実施形態＞
以上、本発明の一実施形態について説明したが、本発明は上記実施形態に限定されるものではなく、発明の要旨を逸脱しない範囲で種々の変更が可能である。
（Ａ）
上記実施形態では、図９に示すように、前面部３１の内側表面３１ｃは、貫通孔３７の貫通方向に対して略垂直に形成されているが、略垂直に形成されていなくてもよい。
【００５９】
図１５に示す前面部３１´のように、内側表面３１ｃ´の貫通孔３７周縁に凹部３１ｚ´が形成されていてもよい。この凹部３１ｚ´が形成されていることにより、貫通孔３７に向かうに従って前面部３１の厚みが薄くなるように形成される。尚、この場合において、貫通孔３７とはカップ部５６と溶着されている部分のことであり、凹部３１ｚ´の内側に位置する部分は、ケースフロント３と溶着されていないため、突出部５６ｂの一部である。
【００６０】
（Ｂ）
上記実施形態では、防水区画形成部５４に凹部５４ｃが設けられており、その底面５４ｄから付勢突起５８が形成されていたが、凹部５４ｃが形成されていなくても良い。例えば、図１６の断面図に示す防水区画形成部１０５４のように、防水区画形成部１０５４に凹部５４ｃが形成されておらず、防水区画形成部１０５４の前面５４ｓから直接付勢突起５８が形成されていてもよい。
【００６１】
（Ｃ）
上記実施の形態では、復帰力生成部の一例としての付勢突起５８が防水区画形成部５４の一部として形成されていたが、復帰力生成部の一例としての構成が防水区画形成部５４とは別の部材として設けられていてもよいし、ケースフロント３または操作キー５３の一部として設けられていてもよい。図１７〜図２１は、付勢力生成部の他の例を示す模式図である。
【００６２】
図１７に示すように、防水区画形成部２０５４と操作部５０１の間の押下部材５０３に、付勢力生成部の一例として巻きバネ６０１が設けられていても良い。この防水区画形成部２０５４は、防水区画形成部１０５４と異なり付勢突起５８が設けられていない。この巻きバネ６０１は圧縮状態で、一端側が防水区画形成部２０５４の前面５４ｓに当接し、他端側が操作部５０１の背面５０１ｓに当接するように押下部材５０３に配置されることにより、操作キー５３をシートフロント４の方向に付勢する。
【００６３】
又、復帰力生成部の一例として樹脂バネが、操作キー５３に設けられていてもよい。このような構成の操作キー１０５３が図１８に示されている。図１８に示す操作キー１０５３は、その操作部５０１の背面５０１ｓから下方に向かって、復帰力生成部の一例である樹脂バネ６０２が形成されている。この樹脂バネ６０２の背面側の端が防水区画形成部２０５４の前面５４ｓに当接し、操作キー１０５３がシートフロント４側に付勢されている。
【００６４】
一方、樹脂バネ６０２の代わりに、防水区画形成部２０５４の前面５４ｓから前面側に向かって樹脂バネが形成されていてもよい。このような構成の防水区画形成部３０５４が図１９に示されている。防水区画形成部３０５４は、前面５４ｓから操作部５０１に向かって形成された樹脂バネ６０３を有している。この樹脂バネ６０３の前面側の端が操作部５０１の背面５０１ｓに当接し、操作キー５３がシートフロント４側に付勢されている。
【００６５】
又、操作部５０１に当接部５０２に代えて、弾性を有し、シートフロント４に係止される弾性係止部が設けられていてもよい。そのような構成の操作キー２０５３が図２０に示されている。図２０に示す操作キー２０５３は、操作部５０１の当接部５０２に代えて、復帰力生成部の一例としての弾性係止部６０４が設けられている。弾性係止部６０４は、シートフロント４の裏面４ｓに係止されている。この弾性係止部６０４は、操作キー５３が押しこまれるに伴って背面側に伸びるが、弾性力によって元の状態に戻ろうとする。これによって、操作キー５３はシートフロント４側に付勢されることになる。
又、図２１に示すように、押下部材５０３に、復帰力生成部の一例としての板バネ６０５が設けられていても良い。板バネ６０５は背面側に凸状に形成されており、この凸状の部分が前面５４ｓに当接している。このような構成により、操作キー５３はシートフロント４側に付勢される。
【００６６】
（Ｄ）
また、上記実施形態では、鍔部５５はカップ部５６の左右方向にしか形成されていなかったが、上下方向にも形成されていてもよい。このような構成のカップ部材１０５２が図２２（ａ）及び図２２（ｂ）に示されている。図２２（ａ）及び図２２（ｂ）に示すカップ部材１０５２では、カップ部５６の前側の端（開口５６ｄ）の全周に渡って形成された鍔部１０５５を有する防水区画形成部４０５４が設けられている。
この場合、溶着部５６ａだけでなく、鍔部１０５５の背面１０５５ａにおいても防水区画形成部４０５４の全周に渡ってケースフロント３と溶着される。尚、図５に示す底面３６ａは貫通孔３７の上下方向にも形成されている必要がある。
【００６７】
（Ｅ）
上記実施形態では、電子機器の一例として温度調節器を用いて説明をしたが、温度調節器に限られるものではなく、本実施形態の構成は、スイッチを有する電子機器であれば適用可能である。
【００６８】
（Ｆ）
また、上記実施形態では、複数個の防水区画形成部５４が連接していたが、防水区画形成部５４が単体で配置されていてもよい。すなわち、カップ部材５２が、１つの防水区画形成部５４のみを有していても良い。
（Ｇ）
また、上記実施形態では、スイッチの一例として可動電極５１２及び固定電極５１３を有するスイッチ５１を用いていたが、このような構成のスイッチに限られるものではなく、押されることによって回路が開閉し、ＯＮ状態となるような感圧スイッチであってもよい。要するに、押されることによってオン状態となるスイッチでありさえすればよい。
【００６９】
（Ｈ）
また、上記実施形態では、複数の防水区画形成部５４がインサート成形によって一気に形成されているが、複数の防水区画形成部５４の全てを一気に形成しなくてもよく、複数回に分けて形成してもよい。例えば、５つの防水区画形成部５４のうち２つを同時に形成し、次に残りの３つを同時に形成するようにしてもよい。
【００７０】
（実施形態２）
以下に、本発明に係る実施形態２における温度調節器について以下に説明する。本実施形態２の温度調節器は、基本的な構成は実施形態１と同様であるが、本実施形態２の温度調節器は、ケースフロントとカップ部の溶着部分が異なっている。そのため、本相違点を中心に説明する。尚、実施形態１と同様の構成については同じ符号が付与されている。
【００７１】
＜１．構成＞
図２３（ａ）は、本実施形態のケースフロント１００３の前面部１０３１とカップ部材５０５２を示す斜視断面図である。図２３（ｂ）は、本実施形態のケースフロント１００３の前面部１０３１とカップ部材５０５２の正断面図である。図２３（ｃ）は、本実施形態のケースフロント１００３の前面部１０３１とカップ部材５０５２の平面図である。
【００７２】
本実施形態のカップ部材５０５２は、複数個の連接された防水区画形成部５０５４を有しておらず、１つの防水区画形成部５０５４のみを有している。このような防水区画形成部５０５４が単体でケースフロント１００３に配置されており、カップ部５６と、鍔部５０５５とを有している。図２３（ｃ）に示すように、鍔部５０５５は、カップ部５６の開口５６ｄの縁５６ｆの全周から外側に向かって全周に渡って形成されている。尚、図２３では、ケースフロント１００３の一部の外側表面１０３１ｓのみを示しており、この外側表面１０３１ｓがケースフロント１００３の前面部１０３１に形成された溝状部分の底面であってもよい。
【００７３】
本実施形態では、図２３（ａ）〜図２３（ｃ）に示すように前面部１０３１の貫通孔３７の内周面３７ａと防水区画形成部５０５４のカップ部５６との間には隙間Ｔが形成されており、その間は溶着されていない。
カップ部５６の開口５６ｄの縁５６ｆの全周に渡って形成された鍔部５０５５と前面部１０３１の外側表面１０３１ｓが溶着されている。
【００７４】
このように本実施形態では、防水区画形成部５０５４を貫通孔３７の内周面３７ａとは溶着させずに、外側表面１０３１ｓと溶着させている。
このような溶着の構成をインサート成形によって実現するには、ケースフロント１００３が硬度の高い樹脂で形成される。そして、形成されたケースフロント１００３がインサート成形金型に挿入されるが、ケースフロント１００３の貫通孔３７の内周面を覆うように、金型のピンが配置される。
この状態でゴムを射出成形することによって、本実施形態のケースフロント１００３と防水区画形成部５０５４の溶着の構成（貫通孔３７の内周面３７ａとカップ部５６が溶着されず、鍔部５０５５とケースフロント１００３が溶着されている構成）を形成することが出来る。
【００７５】
＜２．主な特徴・効果＞
本実施形態の温度調節器（電子機器の一例）は、ケースフロント３（ケース部材の一例）と、スイッチ５１（スイッチの一例）と、カップ部材５０５２と、押下部材５０３とを備えている。ケースフロント１００３は、表面に貫通孔３７を有する。スイッチ５１は、ケースフロント１００３の内側に設けられた基板２１に配置されている。カップ部材５０５２は、貫通孔３７に、内側底面５６ｅがケースフロント１００３の外側を向いて配置されたカップ部５６と、カップ部５６の開口５６ｄの全周に渡って形成された鍔部５０５５とを有している。押下部材５０３は、スイッチ５１を押下するためにカップ部５６内に配置されている。カップ部材５０５２は、カップ部５６と貫通孔３７の内周面３７ａとの間から異物が侵入しないようにケース部材３と溶着されており、特に、本実施形態では、鍔部５０５５とケースフロント３の外側表面１０３１ｓが溶着されている。スイッチを押下するための押下部材５０３の移動により、カップ部５６の先端部５６ｃ（底部の一例）がスイッチ５１を押圧する。
【００７６】
このように、防水区画形成部５０５４の全周とケースフロント１００３の前面部１０３１の外側表面１０３１ｓが全周にわたって溶着されることによってスイッチ５１が配置されている空間Ｑ（図９参照）が防水区画として形成される。
また、鍔部５０５５で溶着することによって、押下方向の厚みが薄い電子機器において、防水を維持しながら良好な操作感を得ることが出来る。
【００７７】
また、鍔部５０５５がケースフロント１００３の外側表面１０３１ｓに設けられているため、スイッチ５１を押下する際に、鍔部は圧縮されることになる。すなわち、鍔部が内側に配置された場合にはスイッチ押下の際に接着を引き剥がす方向に力が作用することになるが、本実施形態では圧縮される側に鍔部５０５５が設けられているため、信頼性のある溶着を行うことが出来る。
【００７８】
＜３．他の実施形態＞
本実施形態２においても、上記実施形態１の＜他の実施形態＞で説明した構成を適用することが出来る。
上記実施形態２では、防水区画形成部５０５４は、単体で設けられているが、実施形態１のように複数個が連接して設けられていてもよい。
【産業上の利用可能性】
【００７９】
本発明の電子機器及びその製造方法は、省スペース且つ低コストでスイッチが配置されている空間を防水区画とし、スイッチを押下する際の操作感が良好な効果を有し、温度調節器等として利用可能である。
【符号の説明】
【００８０】
１  温度調節器（電子機器の一例）
２  表示部
３  ケースフロント（ケース部材の一例）
４  シートフロント（表面部材の一例）
４Ｄ  下端
４Ｌ  左端
４Ｕ  上端
４Ｒ  右端
４ａ  切り欠き部
４ｂ  切り欠き部
４ｓ  裏面
５  スイッチ部
１０  前面
１０ｓ  表示領域
１１  背面
１２  上面
１３  底面
１４  右側面
１５  左側面
１６  ケース本体
２１  基板
２２  表示用電子部品
２３  電子部品
３１  前面部
３１Ｒ  右端
３１Ｄ  下端
３１Ｌ  左端
３１Ｕ  上端
３１ａ  凸部
３１ｂ  凸部
３１ｃ  内側表面
３２ａ  左側支持部
３２ｂ  右側支持部
３２ｃ  上側支持部
３２ｄ  下側支持部
３４  開口部
３５  配置部
３６  溝状部
３６Ｄ  下端
３６Ｕ  上端
３６ａ  底面
３７  貫通孔
３７Ｄ  下端
３７Ｕ  上端
３７ａ  内周面
３８  溝状部
３８ａ  底面（ケース部材の表面の一例、ケース部材の外側表面の一例）
４１  貫通孔（外側貫通孔の一例）
４２  内側周縁部
５１  スイッチ
５２  カップ部材
５３  操作キー
５４  防水区画形成部
５４ｃ  凹部
５４ｄ  底面
５４ｅ  壁面
５４ｓ  前面
５５  鍔部
５６  カップ部
５６ａ  溶着部
５６ｂ  突出部
５６ｃ  先端部（底部の一例）
５６ｄ  開口
５６ｅ  内側底面
５６ｆ  縁
５７  挿入孔
５８  付勢突起（復帰力生成部の一例）
５５ｓ  前面
１００  制御盤
５０１  操作部
５０１ｓ  背面
５０２  当接部
５０２ａ  内側面
５０３  押下部材
５０３ａ  外側の端
５１１  蓋部
５１２  可動電極
５１３  固定電極
６０１  巻きバネ（復帰力生成部の一例）
６０２  樹脂バネ（復帰力生成部の一例）
６０３  樹脂バネ（復帰力生成部の一例）
６０４  弾性係止部（復帰力生成部の一例）
６０５  板バネ
１００３  ケースフロント
１０３１  前面部
１０３１ｓ  外側表面
１０５２  カップ部材
１０５３  操作キー
１０５４  防水区画形成部
１０５５  鍔部
１５０１  操作部
２５０３  操作キー
２０５４  防水区画形成部
３０５４  防水区画形成部
４０５４  防水区画形成部
５０５４  防水区画形成部
【図１】
2015153667.tif 000003
【図２】
2015153667.tif 000004
【図３】
2015153667.tif 000005
【図４】
2015153667.tif 000006
【図５】
2015153667.tif 000007
【図６】
2015153667.tif 000008
【図７】
2015153667.tif 000009
【図８】
2015153667.tif 000010
【図９】
2015153667.tif 000011
【図１０】
2015153667.tif 000012
【図１１】
2015153667.tif 000013
【図１２】
2015153667.tif 000014
【図１３】
2015153667.tif 000015
【図１４】
2015153667.tif 000016
【図１５】
2015153667.tif 000017
【図１６】
2015153667.tif 000018
【図１７】
2015153667.tif 000019
【図１８】
2015153667.tif 000020
【図１９】
2015153667.tif 000021
【図２０】
2015153667.tif 000022
【図２１】
2015153667.tif 000023
【図２２】
2015153667.tif 000024
【図２３】
2015153667.tif 000025